(57)【要約】【課題】  簡易クレーン装置で低層階の引越等で荷物を開口部及各階から荷物を目的位置に極めて簡単に、しかも３人以下の人間で主要な各ユニットを上げ、降ろしできる重さで携帯型の安価な簡易クレーン装置を提供する。【解決手段】装置移動用の台車１の荷台２上に取り付け架台５を装着し、取り付け架台５にウインチ等の昇降駆動部３７と取り付け架台５の中央部に垂直に配置した１本のポスト１６とポスト１６に３角形の２辺を形成する水平アーム３１と傾斜アーム３２から成る旋回アーム３０の根本端部を支承し、末端部に昇降機構４１のワイヤーの各ユニットを備え、上記各ユニットの組立、解体、運搬が３人以下で可能な重さに構成した簡易クレーン装置である。【選択図】  図１
2006240878.tif 000002
【特許請求の範囲】
【請求項１】
簡易クレーン装置移動用の台車と、支柱となる１本のポストと、荷物を昇降するワイヤーを有する昇降機構と、該機構を駆動する昇降駆動部と、前記ワイヤーを支持すると共に、ワイヤーの方向変換する水平アームおよび傾斜アームから成る旋回アームの各ユニットを具備する装置において、少なくとも上記各ユニットの内１ユニット以上を解体、組立可能な構成にし、かつ人間が運搬できる重さとしたことを特徴とする簡易クレーン装置。
【請求項２】
少なくとも昇降駆動部と旋回アームの各ユニットのみを解体、組立可能な構成にし、かつ３人以下の人間で運搬できる重さとしたことを特徴とする請求項１記載の簡易クレーン装置。
【請求項３】
少なくとも昇降駆動部、ポスト、旋回アームの各ユニットのみを解体、組立可能な構成にし、かつ人間が運搬できる重さとしたことを特徴とする請求項１〜３記載の簡易クレーン装置。
【請求項４】
ワイヤーをガイド兼移動させる滑車等を少なくとも旋回アームの水平アームの両端部、若しくはポストの上端部に固定、または着脱可能に装着したことを特徴とする請求項１〜３記載の簡易クレーン装置。
【請求項５】
旋回アームはポストと水平アームと傾斜アームとで三角形の枠体に形成し、かつ根本端部を上記ポストの下方に回転可能に支承したことを特徴とする請求項１〜４記載の簡易クレーン装置。
【請求項６】
開閉可能な挟持部と底部を有する２つのクランプ体の底面部を回転可能に装着したクランプで各ユニットを組立、解体できる構成としたことを特徴とする請求項１〜５記載の簡易クレーン装置。
【発明の詳細な説明】
【技術分野】
【０００１】  本発明は、低層建物における引越などの際に人間が運び難い、タンス、冷蔵庫、洗濯機、家庭電気製品などの重さの荷物を各階層の窓などの開口部から上げ降ろすのに極めて便利な簡易クレーン装置に係るものである。
【背景技術】
【０００２】  従来、引越し等では業者が数人で各階から階段を介して荷物を個々に運び出すか、または窓からロープ、クレーン車等を介して搬出していた。  また、バルコニーや開放廊下などに設置して外部足場解体時の荷降ろし作業に使用する簡易クレーン、または加工物の移動に台車移動でポスト方式の簡易クレーンも知られている。（例えば、特許文献１、特許文献２）【０００３】
【特許文献１】特開平１０−１３９３７３号公報
【特許文献２】特開平８−０１３３６７５号公報
【発明の開示】
【発明が解決しようとする課題】
【０００４】  しかしながら、特許文献１は集合住宅工事現場などの外部足場解体時の荷下降ろし作業に使用する簡易クレーンであり、その設置組立、解体をバルコニーや廊下の手摺り壁より内側で行い、床面と天井面と手摺り壁に固定し、支持土台とマストをそれぞれ固定した簡易クレーンであり、装置自体は大がかりで、かつ設置場所が固定される堅牢なバルコニー等である。しかも、人力のみで簡単に組立、解体、解体物の搬送ができず、その上、屋内の部屋間を移動するような構造に構成されていない装置である。【０００５】  特許文献２は、台車に固定した支柱にアームとワイヤー等からなる吊り上げ機構の先端部に加工物を保持、解除できる構造の保持部材と、この保持部材を昇降させる構成の簡易クレーンであり、支柱は１本で、アームによる昇降、台車による移動構造が開示されている。しかしながら、クレーンの組立、解体はできず、主要部を解体して人力で階層ごとに持ち運ぶことはできなかった。
【発明が課題を解決するための手段】
【０００６】  本発明は、このような課題を解決するため、低層階の引越等で同じ階層の部屋間の移動は台車で行い、かつ１００ｋｇ程度の荷物を窓などの開口部から昇降する昇降機構等を台車に着脱可能に装着し、かつ主要な各ユニットを１ユニット以上の組立、解体、運搬が３人以下の人力で可能な重さとし、かつ簡単に着脱可能な構成で、しかも携帯容易で、その上、安価な簡易クレーン装置を提供するものである。
【発明の効果】
【０００７】  上述したように本発明に係る簡易クレーン装置によれば、主要機能部をほぼ独立したユニットに構成したため、（１）引越時に同じ低層階の荷物を各部屋の窓などの開口部から旋回アームを旋回させて外部へ、あるいは部屋内へ極めて容易に搬送、昇降できる。（２）台車に昇降機構を載置したため各階層の同じ部屋間、または窓間での移動が極めて容易にできる。（３）台車と、昇降機構と、旋回アームを単純な構成で、かつ上記した各主要なユニットの１ユニットごと、或いは２ユニット以上を多くとも３人以下で搬送できる重さに形成できる。（４）上記各部間の組立、解体が簡単に行えるため各階層への主要なユニットの搬送が容易である。（５）各部の構成は、簡単な形状で、軽量に、しかも汎用品を一部加工するだけで組み込めるため安価に構成できる特徴がある。
【発明を実施するために最良の形態】
【０００８】  以下に、図面を用いて、本発明に係る簡易クレーン装置の一実施例について詳細に説明する。図１は、台車１と取り付け架台５とポスト１６と旋回アーム３０と昇降駆動部３７と昇降機構４１がそれぞれ解体された主要なユニットを個々に運搬し、これらを組立てることにより一体に構成した簡易クレーン装置の概略説明図、図２（ａ）、（ｂ）は取り付け架台５の説明図、図３はポスト１６の説明図、図５は昇降駆動部３７の斜視図である。
【０００９】  さらに説明すると、台車１は、新規サイズ、或いは既存の荷台２と車輪３と把手４からなり、一体に連結した構成の簡易クレーン装置を低層階住宅等の各窓、或いは部屋間を車輪３の転がりにより畳み上、若しくは床Ａ上を移動するのに役立つものである。勿論、図示しないが荷台２には取り付け架台５を着脱用の装着構造、例えば周知のボルト、ナットの嵌合、ピン等による係止、挟み込み等のクランプ構造の一方を設けた構造である。
【００１０】  取り付け架台５は、図２（ａ）に示すような構成であり、図１に示すように支柱となるポスト１６を垂直に固定、あるいは解体時に荷台２上から離脱が簡単にできる構造、例えば、上記したような周知装着構造を介して取り付けるものであり、台車１の荷台２に装着する取り付け土台６とこの土台６上に一体に固定したやぐら状のポスト支持台９とから構成し、取り付け土台６上のほぼ中心部にポスト１６の下端をガイド兼支持する受け台７を一体に固定し、その表面にはガイド用の凹部８を設ける。
【００１１】    また、ポスト支持台９の先端部にはポスト装着基材１０と、上記支持台９を３角（図示せず）、あるいは４角形のやぐら状に形成する数本（図では４本）の補強脚１３と補強脚１３間に筋違として配設した数本、図では２本程度の補強フレーム１４とから構成する。
【００１２】  ポスト装着基材１０は例えば図２（ｂ）に示すように中央部にマスト１７を垂直に、かつ着脱可能に固定し、その中央部に装着孔１１と必要により頂面１０ａに昇降駆動部３７を装着する係止部材４５の取り付け孔１２を穿設、あるいは図示しないが周知の螺合構造、クランプ構造等を配設する。
【００１３】  さらに、ポスト装着基本材１０の装着孔１１にはポスト遊合軸受け１５を嵌合する。ポスト遊合軸受け１５はフランジ部１５ａと筒部１５ｂとを有し、筒部１５ｂをポスト基材１０の装着孔１１に嵌合し、マスト１７の装着による磨耗防止とフランジ部１５ａによる後記する下端部に位置する傾斜アーム連結具２３との間のスペースを保持するのに役立つ。なお、取り付け架台５は木製、金属あるいはこれらの複合材からなり、所定の強度と人間が１〜２名で運び込める重さとする。
【００１４】  ポスト１６は、図１，図３に示すように簡易クレーン装置において、一本のみの支柱として機能し、取り付け架台５に着脱自在に装着し、旋回アーム３０の根本端部を回転可能に支承するものであり、ポール型のマスト１７と、その上端部に固定した水平アーム連結具１８、傾斜アーム連結具２３と離脱防止具２８を一体に固定したものである。
【００１５】  水平アーム連結具１８は、マスト１７の上端部近傍に装着し、旋回アーム３０が回転するベアリング等の支承材１９がマスト１７から離脱しないように嵌合し、その外周面に装着ガイド材２０を嵌合したものである。さらに、説明すると図３に示すように水平アーム連結具１８は支承材１９に嵌合するフランジ的機能の嵌合リング部２１と水平フレーム３１の一端部を着脱可能に装着する水平アーム装着筒部２２とを一体に形成したものである。勿論、図示しないが２〜３分割の割型に形成して同様の機能を発揮させることもできる。
【００１６】  傾斜アーム連結具２３は、マスト１７の中間近傍に嵌合し、支承材２４と装着ガイド材２５とを一体に形成し、支承材２４はベアリング等であり、装着ガイド材２５は支承材２４に嵌合するフランジ的機能の嵌合リング部２６と傾斜アーム装着筒部２７とから形成し、この筒部２７は角度が旋回アーム３０の傾斜アーム３２と合致させ、かつ着脱自在に設けたものである。  勿論、これも２〜３分割の割型に構成してマスト１７に固定し、傾斜アーム３２を着脱可能に装着する構成も可能である。この際は、マスト１７に仮止めし、最終的に固定することもある。
【００１７】  ２８は離脱防止具であり、水平アーム連結具１８、傾斜アーム連結具２３が主にマスト１７から離脱するのを防止するものであり、カラー等のようなリング構造でマスト１７に上記連結具２３が装着される前に，傾斜アーム連結具２３の装着後に離脱防止具２８を固定する。なお、固定は螺子、ピン、クランプ方式でも可能である。特に、割型構造では、装着順序は関係ない。
【００１８】  上記連結具１８，２３はマスト１７の所定位置に装着して旋回アーム３０の水平アーム３１と傾斜アーム３２の一端部を支持し、旋回アーム３０を回転可能に支承するものである。
【００１９】  固定具２９は、マスト１７を取り付け架台５に装着後にポスト装着基材１０からマスト１７が離脱するのを防止するものであり、螺子等で固定できるリング状あるいは割型の金具等である。  更に、説明するとマスト１７は取り付け架台５のポスト装着基材１０の装着孔１１を介してポスト遊合軸受け１５に遊合した状態で挿入し、マスト１７の中間位置程度を支持し、下端を受け台７の凹部８に載置する。
【００２０】  旋回アーム３０は、図１に示すように水平アーム３１と傾斜アーム３２と、例えば図４に示すような連結体３３とから構成し、水平アーム３１の一端は水平アーム連結具１８に他端近傍を傾斜アーム連結具２３で着脱可能に固定し、マスト１７と連結して三角形状の補強フレーム構造を形成する。
【００２１】  連結体３３は図１に示すように水平アーム３１と傾斜アーム３２を一体に固定する筒部３４とフランジ部３５とからなり、クランプ構造か螺子等の締結具３６で締結する割型の構成である。勿論、一体物で形成して螺子、ピン等で固定することも可能である。
【００２２】    昇降駆動部３７は図１に示すように取り付け架台５の一側面に簡単に着脱できるように装着したものであり、その構成は図５に示すように取り付け板３８上に電動ウインチ等の昇降機３９を固定し、その外周面を安全のためカバー材４０で包囲する。なお、Ｂは操作スイッチ、Ｃは電源コードである。
【００２３】  昇降機構４１はウインチ等に巻回されたワイヤー４２と滑車４３とワイヤー４２の先端に固定した係止具４４、例えばフックなどからなり、また滑車４３は例えば、マスト１７、水平アーム３１の先端部に固定、若しくは着脱できる構造のねじ込み或いはクランプ構造に装着する。なお、ワイヤー４２は滑車４３から着脱できる構成とする。
【００２４】  係止部材４５は昇降駆動部３７を取り付け架台５に着脱可能に装着する際に役立つものであり、カバー材４０とポスト装着基材１０とを固定し、昇降機構４１が稼動中に取り付け架台５から離脱するのを防止するものである例えば、図６（ａ）〜（ｃ）に示すような引っかけ係支構造、ピン、クランプ構造など着脱が容易な装着構成である。勿論、取り付け架台５と取り付け板３８が着脱可能な既存の締結具、例えば螺子、クランプ構造の場合は必要でなくなる。
【００２５】  なお、図６（ａ）は取り付け棒４５ａとピン４５ｂの組み合わせからなる係止金具４５の構造、図６（ｂ）、（ｃ）は取り付け金具４５ｃをポスト装着基材１０とカバー４０に螺子等で簡単に着脱できるクランプ４５とした構造である。
【００２６】    ４６はストッパーで図１に示すようにポスト支持台９の側面、下方の位置に固定し、昇降駆動部３７をまず、受け止めて装着を容易にする。その形状は図示する，Ｌ型、図示しないがカギ型、ピンなどのように昇降駆動部３７がすべり落ちるのを阻止する構造であればよい。
【００２６】  次に具体的な引越の場合について説明すると、一実施例として、まず解体されている主要な各ユニット、即ち台車１、取り付け架台５、ポスト１６、旋回アーム３０、昇降駆動部３７、昇降機構４１等と必要な係止具、締結具等を二階の床Ａ、例えば保護シートを敷設した畳上に人間が１人もしくは３人以下で運び込む。なお、この場合、滑車４３はポスト１７の先端と水平アーム３１の先端に固定され、アーム連結具１８，２３はマスト１７の所定位置に固定されていると仮定する。
【００２７】  そこで、台車１の荷台２の図１に示す位置に取り付け架台５を締結具、ここでは図示しないがワンタッチ構造のクランプで所定位置に固定し、一体化する。次にマスト１７の下端をポスト装着基材１０の装着孔１１に挿入し、受け台７の凹部８に戴置する。そこで、固定具２９はポスト装着基材１０の下面でマスト１７を固定、または挟持し、取り付け架台５と一体と成ってマスト１７を垂直に固定する。ポスト１６には水平アーム連結具１８、傾斜アーム連結具２３が所定の位置に固定されている。
【００２８】  次に既に連結体３３は軽量な水平アーム３１、および傾斜アーム３２の末端部近傍が固定されている。そこで、上記アームの根本端部、即ち他端をそれぞれの上記連結具１８，２３の筒部２２，２７に嵌挿、装着し、螺子等の固定具で固定する。その結果、マスト１７と旋回アーム３０が一体化され、ポスト１６に支承された根本端部がポスト１６を軸に旋回アーム３０が回転可能になる。
【００２９】  そこで、昇降駆動部３７をポスト支持台９に戴置し、そのカバー４０の上端部に係止具４５の一端を係止して、取り付け架台５と一体化する。次に昇降駆動部３７の動力、ウインチ等のワイヤー４２を操作スイッチＢにより巻きだし、滑車４３に戴置してフック係止具４４を図１に示すように配置する。次に床Ａにある台車１を窓際に移動し、旋回アーム３０を目的位置まで旋回し、窓外にフック係止具４４を荷物Ｄのある地面Ｅまで降下する。
【００３０】  次にロープあるいはネットで持ち上げるように荷造りされた荷物Ｄを操作スイッチＢにおいてオンにして窓まで吊り上げ、旋回アーム３０を旋回して荷物Ｄを窓外から部屋内へ移動させ、床Ａ上に荷物Ｄを降ろす。このような動作を繰り返すことにより荷揚げは完了する。また、この際、荷物Ｄの重さと水平アーム３１の曲げモーメントが設定された数値より大きいか、台車１の把手４の端部が持ち上がるようであれば、錘として水を入れた２０ｋｇ程度の重さのポリタンクＦを曲げモーメントが釣り合うまで戴置する。なお、窓間、同じ階層の部屋間の移動は台車１の移動で行い、階層間の移動は、解体作業、組立作業を行うものである。
【００３１】  以上説明したのは、本発明に係る簡易クレーン装置の一実施例にすぎず、図７〜図１１に示すように構成することもできる。すなわち、図７はポスト遊合軸受け１５の変形例、図８はポスト１６において、窓枠Ｇの高さの位置に窓枠Ｇと簡易クレーン装置を一体的に固定する場合であり、万力型の狭持具４７と合成樹脂発泡体等からなる緩衝材４８を有する構成とした簡易クレーン装置。図９は滑車４３を水平アーム３１の両端部に装着した場合、図１０は旋回アーム３０の位置移動用の引き出し棒４９を傾斜アーム３２に設けた場合で通常は止め具５０に装着されている。
【００３２】  図１１はその他の実施例の一部分のみを示す説明図であり、特に、簡易構造にした簡易クレーン装置の場合であり、図示しないが旋回アーム３０の水平アーム３１と傾斜アーム３２の根本端部を上記各アームの連結具１８，２３として既存の図１２に示すようなパイプ締結用クランプ５１を用いてマスト１７に挟持した構成とし、それぞれのアーム根本端をマスト１７に旋回可能に装着したものであり、かつ根本端部が回転するためのクッション機能と移動を抑制するストパー的なスプリング５２をマスト１７に遊合装着した構成の簡易クレーン装置であり、軽量で最も簡易で、かつ安価な装置である。なお、この際のパイプ締結用クランプ５１は多少回転できる装着とする。
【００３３】  また、図示しないがその他の実施例としては、台車１と取り付け架台５とポスト１６と旋回アーム３０の主要ユニットを一体にして、昇降駆動部３７の２ユニットで組立、解体する構造、または台車１と取り付け架台５と、ポスト１６と旋回アーム３０と、昇降駆動部３７の３ユニットにして解体、組立する構造にする。
【００３４】  さらに、その他の実施例としては上記した簡易クレーン装置と同じ構成で一番重いユニットのみ解体し、他ユニットは解体せずに運搬することも可能である。なお、木製で取り付け架台５を構成した祭は、解体するユニット以外は一体に固設する構造も可能である。さらに、その際の係止部材４５は木製の支持形状、例えば角材、丸材の加工品を釘等で固定した構成とすることもできる。
【産業上の利用可能性】
【００３５】  本発明に係る簡易クレーン装置によれば、この種クレーンにおいて、引越等で今までになく、荷物の昇降が容易であり、階層間の移動も３人以下の人間で搬送でき、かつ安価、組立及び解体が極めて簡単で速く、引越の能率が良い。
【図面の簡単な説明】
【００３６】
【図１】本発明に係る簡易クレーン装置の一実施例を示す概略図である。
【図２】（ａ）、（ｂ）は本発明に係る取り付け架台の一例を示す斜視図とポスト支持基材を示す断面図である。
【図３】本発明に係るポストの一例を示す概略説明図である。
【図４】本発明に係る連結体の一例を示す斜視図である。
【図５】本発明に係る昇降駆動部の一例を示す斜視図である。
【図６】（ａ）〜（ｃ）は本発明に係る係止部材の一例を示す説明図である。
【図７】本発明に係るポスト遊合軸受けのその他の実施例を示す斜視図である。
【図８】本発明に係る簡易クレーン装置のその他の実施例を示す概略図である。
【図９】本発明に係る昇降機構のその他の実施例を示す説明図である。
【図１０】本発明に係る傾斜アームのその他の実施例を示す説明図である。
【図１１】本発明に係る簡易クレーン装置のその他の実施例を示す説明図である。
【図１２】既存のパイプ締結用クランプの一例を示す概略図である。
【符号の説明】
【００３７】１    台車５    取り付け架台９    ポスト支持台１３  補強脚１４  補強フレーム１６  ポスト１７  マスト１８  水平アーム連結具１９  支承材２０  装着ガイド材２２  水平アーム装着筒部２３  傾斜アーム連結具３０  旋回アーム３１  水平アーム３２  傾斜アーム３７  昇降駆動部４１  昇降機構４２  ワイヤー４３  滑車４６  ストッパーＡ    床Ｂ    操作スイッチＣ    電源コード
【図１】
2006240878.tif 000003
【図２ａ】
2006240878.tif 000004
【図２ｂ】
2006240878.tif 000005
【図３】
2006240878.tif 000006
【図４】
2006240878.tif 000007
【図５】
2006240878.tif 000008
【図６】
2006240878.tif 000009
【図７】
2006240878.tif 000010
【図８】
2006240878.tif 000011
【図９】
2006240878.tif 000012
【図１０】
2006240878.tif 000013
【図１１】
2006240878.tif 000014
【図１２】
2006240878.tif 000015